(57)【要約】      （修正有）【課題】ユーザに応じて、電池残量を示す表示を変更する際の閾値電圧を変更する。【解決手段】携帯端末１００に、充電を開始したときの電池残量を示す表示の履歴に基づいて、充電時間重み付け算出部からの重み付け点数と、充電頻度重み付け算出部からの重み付け点数と、使用頻度重み付け算出部からの使用したアプリの平均消費電流値に応じた重み付け点数により、電池残量を示す表示を変更する際の閾値電圧を設定する制御部２２０を備える。【選択図】図２
2014072782.tif 000002
【特許請求の範囲】
【請求項１】
充電を開始したときの電池残量を示す表示の履歴に基づいて、電池残量を示す表示を変更する際の閾値電圧を設定する制御部
を有する、携帯端末。
【請求項２】
前記制御部は、充電を開始したときから充電が終了するまでの時間に基づいて、前記閾値電圧を設定する、請求項１に記載の携帯端末。
【請求項３】
前記制御部は、所定の期間における充電が実行された回数に基づいて、前記閾値電圧を設定する、請求項１又は２に記載の携帯端末。
【請求項４】
前記制御部は、所定の期間における使用頻度に基づいて、前記閾値電圧を設定する、請求項１ないし３のいずれか１項に記載の携帯端末。
【請求項５】
充電を開始したときの電池残量を示す表示の履歴に基づいて、電池残量を示す表示を変更する際の閾値電圧を設定する、方法。
【発明の詳細な説明】
【技術分野】
【０００１】
本発明は、無線通信システムに関する。
【背景技術】
【０００２】
携帯端末の電源には、二次電池が使用されることが多い。例えば、リチウムイオン電池が使用される。携帯端末に、二次電池の充電回路が搭載される場合もある。この場合、外部電源を接続することで、携帯端末本体から電池を取り出さなくても充電が可能である。
【０００３】
ユーザは、電池残量表示を見ることで、携帯端末を充電するか否かを判断できる。複数のバーにより電池残量が表されることがある。例えば、３本のバーにより電池残量が表される。バーの数が３本、２本、１本となるに従って、電池残量が減少することを示す。この場合、表示するバーの数と、電池残量の閾値電圧とが対応付けられる。
【０００４】
閾値電圧を低い値に設定することにより、電池の持ちを見かけ上よくできる。例えば、バーを３本表示する電池残量の閾値電圧と、バーを２本表示する電池残量の閾値電圧を低い値に設定する。
【０００５】
しかし、電池残量の閾値電圧を低い値に設定した場合には、以下の問題が生じるおそれがある。
【０００６】
３本のバーが表示されているが、バーを３本表示する閾値電圧近傍の電池残量である携帯端末により、ＢＣＭＣＳ（Ｂｒｏａｄｃａｓｔ／Ｍｕｌｔｉｃａｓｔ  Ｓｅｒｖｉｃｅｓ）配信等が受信される場合、受信の途中で、電源が切れるおそれがある。３本のバーが表示されていても、閾値電圧が低い値に設定されているため、電池の残量は少なく、電池の持ち時間が短いためである。
【０００７】
特に、ＢＣＭＣＳの配信が夜中に行われた場合には、受信の途中で電源が切れることが起こりうる。携帯端末から、充電を促すアラームが発せられる場合もあるが、該アラームに、ユーザが気付かないことが多いためである。この場合、ユーザにとっては、就寝前には、３本のバーが表示されていたにも関わらず、起床したら電源が切れていたことになる。携帯端末が故障したと判断したユーザにより、電源が切れることによる戻入申告が行われることもある。
【０００８】
また、充電ケーブルを抜いた直後は、短時間の充電であっても電池電圧特性により一時的に電池電圧が高くなる場合がある。このため、電池残量が少ない状態で充電をした場合であっても、３本のバーが表示されることもある。実際には、携帯端末は、ほとんど充電されていない。ユーザは、３本のバーが表示されているので、十分充電されていると誤判断する。この場合、電池残量が急速に減少し、場合によっては、電源が切れることもある。携帯端末が故障したと判断したユーザにより、電源が切れることによる戻入申告が行われることもある。
【０００９】
逆に、閾値電圧を高い値に設定することにより、電源が切れることによる戻入申告を減少させることができる。例えば、バーを３本表示する電池残量の閾値電圧と、バーを２本表示する電池残量の閾値電圧を高い値に設定する。しかし、電池残量の閾値電圧を高い値に設定した場合には、僅かな使用で、バーの表示が3本から２本になるため、電源の持ちが悪いことによる戻入申告が増加するおそれがある。
【００１０】
携帯端末が使用されている途中で電源切れとなることを防ぐ技術が知られている（例えば、特許文献１参照）。
【先行技術文献】
【特許文献】
【００１１】
【特許文献１】特開２００９−１７６２１号公報
【発明の概要】
【発明が解決しようとする課題】
【００１２】
上述したように、電池残量を表示する携帯端末において、電池残量を示すバーを３本から２本、又は２本から１本に変更する際の閾値電圧が設定される。例えば、電池残量を示すバーを３本から２本、又は２本から１本に変更する際の下限閾値電圧が設定される。
【００１３】
しかし、閾値電圧は固定値であるため、ユーザによっては、３本から２本に変わるタイミングが早すぎて電池持ちが悪いと感じる人や、逆に３本から２本に変わるタイミングが遅すぎて、２本になってから電池が切れるまでが早すぎると感じる人がいる。
【００１４】
開示の携帯端末は、電池残量を示す表示を変更する際の閾値電圧を変更することを目的とする。
【課題を解決するための手段】
【００１５】
開示の一実施例の携帯端末は、
充電を開始したときの電池残量を示す表示の履歴に基づいて、電池残量を示す表示を変更する際の閾値電圧を設定する制御部
を有する。
【発明の効果】
【００１６】
開示の実施例によれば、電池残量を示す表示を変更する際の閾値電圧を変更することができる。
【図面の簡単な説明】
【００１７】
【図１】携帯端末の一実施例を示す図である。
【図２】携帯端末の一実施例を示す機能ブロック図である。
【図３】ユーザ操作ログの一実施例を示す図である。
【図４】電池残量バー閾値テーブルの一実施例を示す図である。
【図５】電池残量バー閾値テーブルの一実施例を示す図である。
【図６】ログの抽出結果の一実施例を示す図である。
【図７】充電時間重み付けテーブルの一実施例を示す図である。
【図８】充電頻度重み付けテーブルの一実施例を示す図である。
【図９】使用したアプリに関するログの抽出結果の一実施例を示す図である。
【図１０】各アプリの消費電流値テーブルの一実施例を示す図である。
【図１１】使用頻度重み付けテーブルの一実施例を示す図である。
【図１２】最適電池残量バー閾値テーブルの一実施例を示す図である。
【図１３】変更前後の電池残量バーの閾値電圧を示す図である。
【図１４】携帯端末の動作の一実施例を示すフローチャートである。
【図１５】充電時間重み付け値算出処理の一実施例を示すフローチャートである。
【図１６】充電頻度重み付け値算出処理の一実施例を示すフローチャートである。
【図１７】使用頻度重み付け値算出処理の一実施例を示すフローチャートである。
【図１８】最適電池残量バー閾値算出処理の一実施例を示すフローチャートである。
【図１９】電池残量バー表示処理の一実施例を示すフローチャートである。
【図２０】最適電池残量バー閾値テーブルの一変形例を示す図である。
【図２１】最適電池残量バー閾値テーブルの一変形例を示す図である。
【図２２】携帯端末の一変形例を示す機能ブロック図である。
【図２３】最適電池残量バー閾値テーブルの一変形例を示す図である。
【図２４】最適電池残量バー閾値テーブルの一変形例を示す図である。
【図２５】最適電池残量バー閾値テーブルの一変形例を示す図である。
【発明を実施するための形態】
【００１８】
以下、図面に基づいて、実施例を説明する。
なお、実施例を説明するための全図において、同一機能を有するものは同一符号を用い、繰り返しの説明は省略する。
【００１９】
＜携帯端末＞
図１は、携帯端末１００の一実施例を示す。図１には、主に、携帯端末１００のハードウェア構成が示される。
【００２０】
携帯端末１００は、ベースバンド制御ＩＣ１０２と、電源制御モジュール１０６と、電池１０８と、ＲＦモジュール１１０と、地デジ／１セグチューナモジュール１１２と、ＲＡＭ１１４と、ＲＯＭ１１６と、マイク１１８と、レシーバ１２０と、スピーカ１２２と、ディスプレイ１２４と、ＩＳＰ（ＩｍａｇｅＳｅｎｓｏｒＰｒｏｃｅｓｓｏｒ）１２６と、カメラモジュール１２８とを有する。
【００２１】
ベースバンド制御ＩＣ１０２は、内蔵するＣＰＵ１０４による制御により、ベースバンド信号を処理する。
【００２２】
電源制御モジュール１０６は、電池１０８の電源を制御する。電源制御モジュール１０６は、電池電圧値を検出する。
【００２３】
電池１０８は、携帯端末１００を駆動する電源を供給する。例えば、電池１０８は、二次電池であり、充電可能である。
【００２４】
ＲＦモジュール１１０は、基地局（図示無し）との間で、電波通信を行う。
【００２５】
地デジ／１セグチューナモジュール１１２は、地デジ／１セグ放送を受信する。
【００２６】
マイク１１８、レシーバ１２０は、音声通信の際に使用される。
【００２７】
ＩＳＰ１２６は、カメラモジュール１２８を制御する。
【００２８】
＜携帯端末１００の機能＞
携帯端末１００の機能の一実施例について説明する。
【００２９】
図２は、携帯端末１００の機能の一実施例を示す機能ブロック図である。この機能ブロック図により表される機能は、主に、ＣＰＵ１０４により実行される。つまり、図２の機能ブロック図により表される機能は、ＲＡＭ１１４に記憶されたアプリケーションや、ログや、テーブルに従ってＣＰＵ１０４により実行される。
【００３０】
ＲＡＭ１１４には、ユーザ操作ログ２０２と、充電時間重み付けテーブル２０８と、充電頻度重み付けテーブル２１０と、使用頻度重み付けテーブル２１２と、各アプリの消費電流値テーブル２１４と、最適電池残量バー閾値テーブル２１６と、電池残量バー閾値テーブル２１８とが格納される。
【００３１】
ＣＰＵ１０４は、制御部２２０として機能する。具体的には、ＣＰＵ１０４は、充電時間重み付け算出部２２２と、充電頻度重み付け算出部２２４と、使用頻度重み付け算出部２２６と、最適電池残量バー閾値算出部２２８と、電池残量バー判定部２３０として機能する。
【００３２】
電源制御モジュール１０６は、電池電圧測定部２３４として機能する。
【００３３】
ユーザ操作ログ２０２は、ユーザにより携帯端末１００の操作が行われた場合に書き込まれる。操作には、電源のオン又はオフ、充電の開始又は終了、各種アプリケーション（以下、「アプリ」という）の起動又は終了等が含まれる。ユーザ操作ログ２０２には、充電情報２０４と、起動アプリ情報２０６とが含まれる。
【００３４】
図３は、ユーザ操作ログ２０２の一実施例を示す。図３に示されるユーザ操作ログ２０２には、操作Ｎｏ．と、日付と、曜日と、時刻と、電池電圧と、電池残量バーと、操作内容とが含まれる。
【００３５】
図３に示されるユーザ操作ログ２０２によれば、以下のログが格納される。
【００３６】
操作Ｎｏ．ｍ  ２０１２／０１／０７  土曜日  ０９:００:３０に電源をオンし、その時の電池電圧値は３．５５Ｖ、電池残量バーは２本である。
【００３７】
操作Ｎｏ．ｍ＋１  ２０１２／０１／０８  日曜日  ０９:０１:００に音声通話発信を行い、その時の電池電圧は３．５４Ｖ、電池残量バーは２本である。
【００３８】
操作Ｎｏ．ｍ＋２  ２０１２／０１／０８  日曜日  ０９:３１:００に音声通話切断を行い、その時の電池電圧は３．４０Ｖ、電池残量バーは１本である。
【００３９】
操作Ｎｏ．ｍ＋３  ２０１２／０１／０８  日曜日  ０９:３１:３０に充電を開始し、その時の電池電圧は３．４０Ｖ、電池残量バーは１本である。
【００４０】
操作Ｎｏ．ｍ＋４  ２０１２／０１／０８  日曜日  １１:３２：００に充電を終了し、その時の電池電圧は４．１０Ｖ、電池残量バーは３本である。
【００４１】
ＲＡＭ１１４におけるユーザ操作ログ２０２が格納される領域は有限であるため、格納できるログの数も有限となる。このため、ＲＡＭ１１４におけるユーザ操作ログ２０２が格納される領域にリングバッファを適用するようにしてもよい。具体的には、記憶できるユーザ操作ログ２０２の件数が１００００件であると仮定した場合、１件目から１００００件目までの操作は操作順に格納される。１０００１件目以降の操作は、再度１件目からユーザ操作ログに上書される。
【００４２】
制御部２２０は、ユーザ操作ログ２０２に、電池電圧、電池残量バーを書き込む際、電池電圧値を取得する。制御部２２０は、電池電圧測定部２３４に、電池電圧測定命令を入力する。電池電圧測定部２３４は、制御部２２０からの電池電圧測定命令に従って、電池１０８の電圧値を測定する。電池電圧測定部２３４は、電池残量バー判定部２３０に、電池１０８の電圧値を入力する。
【００４３】
電池残量バー判定部２３０は、ＲＡＭ１１４に格納されている電池残量バー閾値テーブル２１８を参照し、電池１０８の電圧値に対応する電池残量バーの数を特定する。
【００４４】
図４、図５は、電池残量バー閾値テーブルの一実施例を示す。
【００４５】
図４には、電池残量バーの数をパラメータとし、電池残量の閾値電圧は、各電池残量バーに、全電池容量を均等に割り振ることにより設定する場合を示す。
【００４６】
図４に示される例では、電池残量バー３本の電池残量の範囲として、４．２Ｖ−３．８５Ｖが設定される。この場合、電池残量バー３本の電池残量の下限となる閾値は、３．８５Ｖとなる。
【００４７】
また、電池残量バー２本の電池残量の範囲として、３．８５Ｖ−３．７５Ｖが設定される。この場合、電池残量バー２本の電池残量の下限となる閾値は、３．７５Ｖとなる。
【００４８】
また、電池残量バー１本の電池残量の範囲として、３．７５Ｖ−３．３０Ｖが設定される。この場合、電池残量バー１本の電池残量の下限となる閾値は、３．３０Ｖとなる。
【００４９】
図５には、電池残量バーの数をパラメータとし、電池残量の閾値電圧は、全電池容量の６０％を電池残量バー３本に、２５％を電池残量バー２本に、１５％を電池残量バー１本に非均等に割り振ることにより設定する場合を示す。
【００５０】
図５に示される例では、電池残量バー３本の電池残量の範囲として、４．２Ｖ−３．６５Ｖが設定される。この場合、電池残量バー３本の電池残量の下限となる閾値は、３．６５Ｖとなる。
【００５１】
また、電池残量バー２本の電池残量の範囲として、３．６５Ｖ−３．５０Ｖが設定される。この場合、電池残量バー２本の電池残量の下限となる閾値は、３．５０Ｖとなる。
【００５２】
また、電池残量バー１本の電池残量の範囲として、３．５０Ｖ−３．３０Ｖが設定される。この場合、電池残量バー１本の電池残量の下限となる閾値は、３．３０Ｖとなる。
【００５３】
電池残量バー判定部２３０は、表示部２３２に、電池１０８の電圧値に対応する電池残量バーの数を入力する。表示部２３２は、電池残量バー判定部２３０からの電池残量バーの数に応じて、ディスプレイ１２４に、電池残量バーを表示する。
【００５４】
携帯端末１００の一実施例は、携帯端末１００の動作履歴に基づいて、電池残量バー閾値テーブル２１８に格納される電池残量の閾値を更新する。
【００５５】
電池残量の閾値は、一週間単位で更新するようにしてもよいし、一日単位で更新するようにしてもよい。また、所定の曜日に、電池残量の閾値を更新するようにしてもよい。
【００５６】
携帯端末１００の一実施例では、一週間単位で、電池残量の閾値を更新する場合について説明する。以下、電池残量の閾値を更新する際に、２０１２／０１／０８  日  ０:００：００から２０１２／０１／１４  土  ２３:５９：５９までの動作履歴（以下、「対象区間」という）を利用する場合について説明する。電池残量バー閾値テーブル２１８の初期設定は、図５を参照して説明したものであるとする。
【００５７】
制御部２２０は、２０１２／０１／１５  日  ０:００：００に、ユーザ操作ログ２０２の対象区間の分析を開始する。
【００５８】
充電時間重み付け算出部２２２は、充電時間の分析を行うために、ユーザ操作ログ２０２の対象区間から、充電に関するログを抽出する。充電時間を分析するためには、ユーザ操作ログ２０２の対象区間から抽出された充電に関するログから、充電時間を割り出してもよい。ただし、電池残量バーが３本である場合と、１本である場合とでは、同じ充電時間でも、電池への充電量が異なる場合もある。そこで、携帯端末１００の一実施例は、充電が開始されたときの電池残量バーの数と、充電時間により、重み付けを求める。携帯端末１００は、重み付けを平均化し、充電時間の重み付け点数とする。
【００５９】
図６は、対象区間の充電に関するログの抽出結果を示す。
【００６０】
図６は、ユーザ操作ログ２０２から、操作内容が充電に関するものを抽出したものである。図６には、操作Ｎｏ．、日付、曜日、時刻、電池電圧、電池残量バーの数、操作内容が示される。
【００６１】
操作内容Ｎｏ．が「ａ」−「ａ´」（以下、「充電区間ａ〜ａ´」という）では、０９：３１：３０に充電が開始され、１１：３２：００に充電が終了し、充電が開始されたときの電池残量バーの数は１本であり、充電が終了したときの電池残量バーの数は３本である。
【００６２】
充電区間ｂ〜ｂ´では、１３：３０：００に充電が開始され、１４：０２：１５に充電が終了し、充電が開始されたときの電池残量バーの数は３本であり、充電が終了したときの電池残量バーの数は３本である。
【００６３】
充電区間ｃ〜ｃ´では、１８：３０：３５に充電が開始され、１９：１６：４０に充電が終了し、充電が開始されたときの電池残量バーの数は２本であり、充電が終了したときの電池残量バーの数は３本である。
【００６４】
充電区間ｄ〜ｄ´では、０９：００：１０に充電が開始され、１１：１５：３０に充電が終了し、充電が開始されたときの電池残量バーの数は２本であり、充電が終了したときの電池残量バーの数は３本である。
【００６５】
図７は、充電時間重み付けテーブルの一実施例を示す。図７に示される例では、充電時間と、充電が開始されるときの電池残量バーの数に応じて、重み付けが設定される。
【００６６】
充電時間重み付け算出部２２２は、充電時間重み付けテーブル２０８を参照し、対象区間の充電に関するログの抽出結果に基づいて、各充電区間の重み付けを求める。
【００６７】
充電区間ａ〜ａ´では、充電が開始されるときの電池残量バーは１本であり、且つ充電時間が９０分以上であるため、重み付けは「１」となる。
【００６８】
充電区間ｂ〜ｂ´では、充電が開始されるときの電池残量バーは３本であり、且つ充電時間が３０分以上であるため、重み付けは「１」となる。
【００６９】
充電区間ｃ〜ｃ´では、充電が開始されるときの電池残量バーは２本であり、且つ充電時間が４５分以上６０分未満であるため、重み付けは「２」となる。
【００７０】
充電区間ｄ〜ｄ´では、充電が開始されるときの電池残量バーは２本であり、且つ充電時間が６０分以上であるため、重み付けは「１」となる。
【００７１】
充電時間重み付け算出部２２２は、全充電区間の重み付けを平均し、重み付け点数とする。つまり、全充電区間の重み付けの平均は、（１＋１＋２＋１）／４＝１．２５となる。携帯端末１００の一実施例では、重み付け点数は、自然数とする。例えば、充電時間重み付け算出部２２２は、全充電区間の重み付けの平均を四捨五入した値である「１」を重み付け点数とする。充電時間重み付け算出部２２２は、最適電池残量バー閾値算出部２２８に、重み付け点数を入力する。
【００７２】
充電頻度重み付け算出部２２４は、充電頻度の分析を行うために、充電時間重み付け算出部２２２と同様に、ユーザ操作ログ２０２の対象区間から、充電に関するログを抽出する。充電頻度重み付け算出部２２４は、充電時間重み付け算出部２２２から、充電に関するログを取得してもよい。
【００７３】
充電頻度重み付け算出部２２４は、充電頻度重み付けテーブル２１０を参照し、対象区間の充電回数に基づいて、重み付けを求める。
【００７４】
図８は、充電頻度重み付けテーブル２１０の一実施例を示す。図８に示される例では、対象区間における充電回数の範囲と、重み付けとが対応付けられる。
【００７５】
充電頻度重み付け算出部２２４は、対象区間の充電回数が４回であるため、重み付け点数を「３」とする。充電頻度重み付け算出部２２４は、最適電池残量バー閾値算出部２２８に、重み付け点数を入力する。
【００７６】
使用頻度重み付け算出部２２６は、使用頻度の分析を行うために、ユーザ操作ログ２０２の対象区間から、使用したアプリに関するログを抽出する。
【００７７】
図９は、対象区間に使用したアプリに関するログの抽出結果を示す。
【００７８】
図９は、ユーザ操作ログ２０２から、操作内容がアプリに関するものを抽出したものである。図９には、「操作Ｎｏ．」、日付、曜日、時刻、・・・、操作内容が示される。
【００７９】
操作Ｎｏ．が「ｒ＋ａ」−「ｒ＋ｂ」（以下、「操作区間ｒ＋ａ〜ｒ＋ｂ」という）では、０９：０１：００に音声通話の発信がされ、０９：３１：００に音声通話が切断される。
【００８０】
操作区間ｒ＋ｃ〜ｒ＋ｄでは、１７：００：００にサイトの閲覧が開始され、１７：１０：００にサイトの閲覧が終了する。
【００８１】
操作区間ｒ＋ｅ〜ｒ＋ｆでは、１５：００：１０にメールの受信が開始され、１５：００：３０にメールの受信が終了する。
【００８２】
操作区間ｒ＋ｇ〜ｒ＋ｈでは、２１：１０：００にゲームが開始され、２３：１０：００にゲームが終了する。
【００８３】
操作区間ｒ＋ｉ〜ｒ＋ｊでは、１９：００：００に音楽の再生が開始され、２１：００：００に音楽の再生が終了する。
【００８４】
図１０は、各アプリの消費電流値テーブル２１４の一実施例を示す。図１０に示される例では、種別Ｎｏ．と、アプリ種別と、平均消費電流値とが対応付けられる。例えば、平均消費電流値は、１時間当りの平均消費電流であるとする。
【００８５】
使用頻度重み付け算出部２２６は、各アプリの消費電流値テーブル２１４を参照し、対象区間に使用したアプリの平均消費電流値を合計する。
【００８６】
操作区間ｒ＋ａ〜ｒ＋ｂでは、３０分間の音声通話を実施している。音声通話の平均消費電流値は２００ｍＡであるため、操作区間ｒ＋ａ〜ｒ＋ｂの消費電流値は、２００ｍＡ×（３０／６０）ｈ＝１００ｍＡｈとなる。
【００８７】
操作区間ｒ＋ｃ〜ｒ＋ｄでは、１０分間のサイト閲覧を実施している。サイト閲覧の平均消費電流値は４５０ｍＡであるため、操作区間ｒ＋ｃ〜ｒ＋ｄの消費電流値は、４５０ｍＡ×（１０／６０）ｈ＝７５ｍＡｈとなる。
【００８８】
操作区間ｒ＋ｅ〜ｒ＋ｆでは、２０秒間のメール受信を実施している。メール受信の平均消費電流値は１８０ｍＡであるため、操作区間ｒ＋ｅ〜ｒ＋ｆの消費電流値は、１８００ｍＡ×（２０／３６００）ｈ＝１ｍＡｈとなる。
【００８９】
操作区間ｒ＋ｇ〜ｒ＋ｈでは、２時間のゲームを実施している。ゲームの平均消費電流値は３００ｍＡであるため、操作区間ｒ＋ｇ〜ｒ＋ｈの消費電流値は、３００ｍＡ×（２／１）ｈ＝６００ｍＡｈとなる。
【００９０】
操作区間ｒ＋ｉ〜ｒ＋ｊでは、２時間の音楽再生を実施している。音楽再生の平均消費電流値は７０ｍＡであるため、操作区間ｒ＋ｉ〜ｒ＋ｊの消費電流値は、７０ｍＡ×（２／１）ｈ＝１４０ｍＡｈとなる。
【００９１】
また、２０１２／０１／０８  日  ０：００：００から２０１２／０１／１４  土  ２３：５９：５９の間は、携帯端末１００の電源は常時オンだったので、待受け消費電流値を加算する。図１０より、待受けの平均消費電流値は３ｍＡであるので、一週間の待受け消費電流値は、３×（２４／１）×７＝５０４ｍＡｈとなる。
【００９２】
使用頻度重み付け算出部２２６は、対象区間の消費電流の累積値を合計する。ここでは、使用頻度重み付け算出部２２６は、対象区間の消費電流１００ｍＡｈと、７５ｍＡｈと、１ｍＡｈと、６００ｍＡｈと、１４０ｍＡｈと、５０４ｍＡｈとを合計し、消費電力の合計値１４２０ｍＡｈを得る。使用頻度重み付け算出部２２６は、使用頻度重み付けテーブル２１２を参照し、消費電力の合計値に対応する重み付けを求める。
【００９３】
図１１は、使用頻度重み付けテーブル２１２の一実施例を示す。図１１に示される例では、重み付け点数と、該重み付け点数に対応する消費電流量の合計の範囲とが対応付けられる。
【００９４】
使用頻度重み付け算出部２２６は、消費電流量の合計が１４２０ｍＡｈであるため、重み付け点数を「１」とする。使用頻度重み付け算出部２２６は、最適電池残量バー閾値算出部２２８に、重み付け点数を入力する。
【００９５】
最適電池残量バー閾値算出部２２８は、充電時間重み付け算出部２２２からの重み付け点数と、充電頻度重み付け算出部２２４からの重み付け点数と、使用頻度重み付け算出部２２６からの重み付け点数に基づいて、電池残量バーの数を変更する際の閾値電圧を変更する。
【００９６】
最適電池残量バー閾値算出部２２８には、充電時間重み付け算出部２２２から重み付け点数「１」が入力され、充電頻度重み付け算出部２２４から重み付け点数「３」が入力され、使用頻度重み付け算出部２２６から重み付け点数「１」が入力される。
【００９７】
携帯端末１００のユーザは、一回当りの充電時間は長く、充電頻度は少なく、使用頻度は低いことが分かる。
【００９８】
このユーザの場合、１回当りの充電時間が長いため、フル充電もしくはフル充電近くまで充電していると想定される。さらに、アプリの使用頻度が低いため、このユーザから、電源切れるという申告はほとんどないと想定される。
【００９９】
電池残量バーの閾値電圧を高く設定した場合、充電頻度が少ない為、電池持ち悪いという申告が懸念される。従って、このユーザの場合、電池残量バーの閾値電圧を低く設定し、電池持ち悪いという申告を防ぐことが好ましい。
【０１００】
電池残量バー閾値テーブル２１８に設定する電池残量バー閾値電圧は、充電時間の重み付け点数、充電頻度の重み付け点数、使用頻度の重み付け点数に基づいて設定される。
【０１０１】
最適電池残量バー閾値算出部２２８は、最適電池残量バー閾値テーブル２１６を参照し、充電時間の重み付け点数、充電頻度の重み付け点数、使用頻度の重み付け点数に基づいて、電池残量バー閾値電圧を設定する。
【０１０２】
図１２は、最適電池残量バー閾値テーブル２１６の一実施例を示す。図１２には、識別Ｎｏと、充電時間重み付け値と、充電頻度重み付け値と、使用頻度重み付け値との組み合わせと、電池残量バーの各本数に対応する電池残量の範囲とが対応付けられる。最適電池残量バー閾値テーブル２１６では、充電時間が短く、且つ充電頻度が少なく、且つ使用頻度が高い人には、電池残量バー閾値電圧を高くすることにより、電池残量バーの本数を減らすタイミングを早めている。このようにすることにより、充電時間が短く、且つ充電頻度が少なく、且つ使用頻度が高い人に、充電を促すことができる。
【０１０３】
逆に、充電時間が長く、且つ充電頻度が多く、且つ使用頻度が低い人には、電池残量バー閾値電圧を低くすることにより、電池残量バーの本数を減らすタイミングを遅らせる。このようにすることにより、充電時間が長く、且つ充電頻度が多く、且つ使用頻度が低い人に、電池の持ちがよいと思わせることができる。
【０１０４】
最適電池残量バー閾値算出部２２８は、最適電池残量バー閾値テーブル２１６を参照し、充電時間重み付け点数が１点、充電頻度の重み付け点数が３点、使用頻度の重み付け点数が１点なので、最適電池残量バー閾値は識別Ｎｏ．がＱ２１であることを特定する。
【０１０５】
最適電池残量バー閾値算出部２２８は、電池残量バー閾値テーブル２１８に、識別Ｎｏ．Ｑ２１に従って、電池残量バーの数を変更する際の閾値電圧を設定する。
【０１０６】
図１３は、電池残量バーの閾値電圧を変更する前後を示す。図１３によれば、変更前と比較して、変更後は、電池残量を示すバーを３本から２本、又は２本から１本に変更する際の下限閾値電圧がともに低い値に設定される。このため、電池持ち悪いという申告を防ぐことができる。
【０１０７】
電池残量バー判定部２３０は、更新された電池残量バーの閾値に基づいて、電池残量バーの数を判定し、表示部２３２に入力する。
【０１０８】
＜携帯端末の動作＞
図１４は、携帯端末１００の動作の一実施例を示す。図１４には、主に、制御部２２０の動作が示される。
【０１０９】
ステップＳ１４０２では、携帯端末１００は、ユーザ操作ログ２０２を読み込む。
【０１１０】
ステップＳ１４０４では、携帯端末１００は、ユーザ操作ログ２０２から、充電ログをピックアップする。
【０１１１】
ステップＳ１４０６では、携帯端末１００は、充電回数を算出する。
【０１１２】
ステップＳ１４０８では、携帯端末１００は、起動アプリをピックアップする。
【０１１３】
ステップＳ１４１０では、携帯端末１００は、アプリの起動回数を算出する。
【０１１４】
ステップＳ１４１２では、携帯端末１００は、充電時間の重み付けを求める処理を実行する。
【０１１５】
ステップＳ１４１４では、携帯端末１００は、充電頻度の重み付けを求める処理を実行する。
【０１１６】
ステップＳ１４１６では、携帯端末１００は、使用頻度の重み付けを求める処理を実行する。
【０１１７】
ステップＳ１４１８では、携帯端末１００は、最適電池残量バー閾値を算出する処理を実行する。
【０１１８】
ステップＳ１４２０では、携帯端末１００は、電池残量バー閾値テーブルを更新する処理を実行する。
【０１１９】
図１４に示されるフローにおいて、ステップＳ１４０４−Ｓ１４０８の順序は、この順序に限られず、変更されてもよいし、略同時に行われてもよい。
【０１２０】
図１４に示されるフローにおいて、ステップＳ１４１２−Ｓ１４１６の順序は、この順序に限られず、変更されてもよいし、略同時に行われてもよい。
【０１２１】
＜充電時間重み付け処理＞
図１５は、図１４のステップＳ１４１２の一実施例を示す。ここで、ステップＳ１４０６で算出された充電回数はｎ回であるとする。
【０１２２】
ステップＳ１５０２では、携帯端末１００は、充電時間重み付けテーブル２０８を読み込む。
【０１２３】
ステップＳ１５０４では、携帯端末１００は、充電時間重み付け変数Ｔを０（零）にクリアする。
【０１２４】
ステップＳ１５０６では、携帯端末１００は、変数Ａの初期値を１、終値をｎ、増分を１とする。
【０１２５】
ステップＳ１５０８では、携帯端末１００は、充電時間を算出する。
【０１２６】
ステップＳ１５１０では、携帯端末１００は、充電開始のときの電池残量バーを検出する。
【０１２７】
ステップＳ１５１２では、携帯端末１００は、各充電区間の充電時間重み付け点数を決定する。
【０１２８】
ステップＳ１５１４では、携帯端末１００は、充電時間重み付け変数Ｔに、ステップＳ１５１２により算出した充電時間重み付け点数を加算する。
【０１２９】
ステップＳ１５０６−ステップＳ１５１６の処理を充電回数ｎとなるまで実行する。
【０１３０】
ステップＳ１５１８では、携帯端末１００は、充電時間重み付け点数を算出する。
【０１３１】
＜充電頻度重み付け処理＞
図１６は、図１４のステップＳ１４１４の一実施例を示す。
【０１３２】
ステップＳ１６０２では、携帯端末１００は、充電頻度重み付けテーブル２１２を読み込む。
【０１３３】
ステップＳ１６０４では、携帯端末１００は、充電頻度重み付け変数Ｆを０（零）にクリアする。
【０１３４】
ステップＳ１６０６では、携帯端末１００は、充電頻度重み付け点数を決定する。携帯端末１００は、ステップＳ１６０２により読み込まれた充電頻度重み付けテーブル２１２を参照し、図１４のステップ１４０６により算出した充電回数に対応する重み付けを求める。携帯端末１００は、充電頻度重み付け変数Ｆに、重み付けを代入する。
【０１３５】
＜使用頻度重み付け処理＞
図１７は、図１４のステップＳ１４１６の一実施例を示す。ここで、ステップＳ１４１０で算出されたアプリ起動回数はｐ回であるとする。
【０１３６】
ステップＳ１７０２では、携帯端末１００は、使用頻度重み付けテーブル２１２を読み込む。
【０１３７】
ステップＳ１７０４では、携帯端末１００は、各アプリの消費電流値テーブル２１４を読み込む。
【０１３８】
ステップＳ１７０６では、携帯端末１００は、使用頻度重み付け変数Ｕを０（零）にクリアする。
【０１３９】
ステップＳ１７０８では、携帯端末１００は、消費電流量変数Ｃを０（零）にクリアする。
【０１４０】
ステップＳ１７１０では、携帯端末１００は、変数Ｂの初期値を１、終値をｐ、増分を１とする。
【０１４１】
ステップＳ１７１２では、携帯端末１００は、起動アプリの種別を識別する。
【０１４２】
ステップＳ１７１４では、携帯端末１００は、アプリの起動時間を算出する。
【０１４３】
ステップＳ１７１６では、携帯端末１００は、起動アプリの消費電流量を算出する。
【０１４４】
ステップＳ１７１８では、携帯端末１００は、消費電流量変数Ｃに、ステップＳ１７１６により算出した起動アプリ消費電流量を加算する。
【０１４５】
ステップＳ１７１０−ステップＳ１７２０の処理をアプリ起動回数ｐとなるまで実行する。
【０１４６】
ステップＳ１７２２では、携帯端末１００は、待ち受け消費電流量を算出する。
【０１４７】
ステップＳ１７２４では、携帯端末１００は、消費電流量変数Ｃに、ステップＳ１７２２により算出した待ち受け消費電流量を加算する。
【０１４８】
ステップＳ１７２６では、携帯端末１００は、使用頻度重み付け点数を決定する。携帯端末１００は、ステップＳ１７２４により求められた消費電流量変数に基づいて、重み付け点数を決定する。携帯端末１００は、使用頻度重み付け点数に、重み付け点数を代入する。
【０１４９】
＜最適電流残量バー閾値算出処理＞
図１８は、図１４のステップＳ１４１８の一実施例を示す。
【０１５０】
ステップＳ１８０２では、携帯端末１００は、最適電池残量バー閾値テーブル２１６を読み込む。
【０１５１】
ステップＳ１８０４では、携帯端末１００は、充電時間重み付け点数を読み込む。
【０１５２】
ステップＳ１８０６では、携帯端末１００は、充電頻度重み付け変数を読み込む。
【０１５３】
ステップＳ１８０８では、携帯端末１００は、使用頻度重み付け変数を読み込む。
【０１５４】
ステップＳ１８１０では、携帯端末１００は、最適電池残量バー閾値を設定する。携帯端末１００は、最適電池残量バー閾値テーブル２１６を参照し、充電時間重み付け点数と、充電頻度重み付け変数と、使用頻度重み付け変数との組み合わせに対応する電池残量バー閾値電圧を求める。
【０１５５】
＜電流残量バー表示処理＞
図１９は、電池残量バーの表示処理の一実施例を示す。
【０１５６】
ステップＳ１９０２では、携帯端末１００は、電池残量バーの表示を更新するタイミングであるか否かを判定する。電池残量バーの表示を更新するタイミングは、予め設定されてもよい。
【０１５７】
電池残量バーの表示を更新するタイミングでない場合、ステップＳ１９０２に戻る。
【０１５８】
ステップ１９０４では、ステップＳ１９０２により電池残量バーの表示を更新するタイミングである場合、電池電圧測定命令を発行する。
【０１５９】
ステップＳ１９０６では、携帯端末１００は、電池電圧を測定する。
【０１６０】
ステップＳ１９０８では、携帯端末１００は、電池電圧測定結果を送信する。
【０１６１】
ステップＳ１９１０では、携帯端末１００は、電池残量バー閾値テーブルを読み込む。
【０１６２】
ステップＳ１９１２では、携帯端末１００は、電池残量バーを決定する。
【０１６３】
ステップＳ１９１４では、携帯端末１００は、電池残量バーを表示する。
【０１６４】
制御部２２０は、次の更新である２０１２／０１／２２  日  ０:００：００に、ユーザ操作ログ２０２の次の対象区間である２０１２／０１／１５  日  ０：００：００から２０１２：０１：２１  土  ２３：５９：５９のユーザ操作ログ２０２の分析を開始する。
【０１６５】
上述した処理と同様の処理により、最適電池残量バー閾値算出部２２８は、電池残量バー閾値テーブル２１８に、電池残量バーの閾値を反映する。
【０１６６】
翌週に、ユーザ操作ログ２０２の前週の操作ログに基づいて求められる電池残量バーの閾値を反映させるようにしてよい。また、翌週に、ユーザ操作ログ２０２の過去数週間分の操作ログに基づいて求められる電池残量バーの閾値を反映させてもよい。また、翌日に、ユーザ操作ログ２０２の過去数日分の操作ログに基づいて求められる電池残量バーの閾値を反映させてもよい。
【０１６７】
携帯端末１００の一実施例では、図５に示すように、電池残量の閾値電圧を、全電池容量に対して非均等に割り振ることにより設定する場合について説明した。図４に示すように、電池残量の閾値電圧を、全電池容量に対して均等に割り振ることにより設定する場合にも適用できる。
【０１６８】
また、充電時間重み付け、充電頻度重み付け、使用頻度重み付け、電池残量の閾値電圧を所定のアルゴリズムに従って求めるようにしてもよい。例えば、充電時間重み付け、充電頻度重み付け、使用頻度重み付け、電池残量の閾値電圧を所定の演算により求める。
【０１６９】
携帯端末１００の一実施例では、電池残量を示す表示の一例として、電池残量バーについて説明したが、この例に限られない。例えば、円グラフ、アイコンの色、パーセント等により電池残量を示すようにしてもよい。
【０１７０】
ユーザの操作パターンと、充電パターンを学習し、電池残量バーの閾値電圧に、その学習結果を反映するようにしてもよい。例えば、充電時間が短く、且つ使用頻度が多いユーザは、低電池電圧による電源断を頻繁に発生させるおそれがある。携帯端末１００が、このユーザが毎日ＡＭ７：００に必ず充電を行う習慣があることを学習した場合、充電を促すために、定刻の前に、電池残量バーの閾値電圧を下げる処理を実行してもよい。さらに、携帯端末１００は、充電終了後に、下げる処理を実行した電池残量バーの閾値電圧を元に戻す処理を実行してもよい。
【０１７１】
さらに、携帯端末１００は、充電を行ったときの電池残量バーの数に基づいて、電池残量バーの数毎に、充電を行う確率を求める。携帯端末１００は、該確率が所定の値以上である電池残量バーの数となった場合に、電池残量バーの閾値電圧を低下させる。このようにすることにより、電池の持ちを見かけ上よく見せることができる。
【０１７２】
また、電池残量が少ない状態、例えば、電池残量バーが1本で、充電を開始した場合、充電開始後一定時間は、電池残量バー閾値電圧値を少し上げ、一定時間経過後に電池残量バー閾値の値を元に戻すという処理を行うようにしてもよい。このようにすることにより、充電ケーブルを抜いた直後に電池電圧が見かけ上高くなり、電池はほとんど充電されていないのに電池残量バーは３本が表示されることにより生じる誤判断を、低減できる。
【０１７３】
電池残量バーの数が２本の場合、４本以上の場合にも適用できる。
【０１７４】
＜変形例（その１）＞
上述した携帯端末１００の一実施例において、充電時間重み付け値に基づいて、電池残量バーの閾値電圧が設定されてもよい。上述したように充電時間重み付け値は、図７を参照して説明した充電時間重み付けテーブル２０８に従って求められる。
【０１７５】
図２０は、充電時間重み付け値に基づいて、電池残量バーの閾値電圧が設定される場合の最適電池残量バー閾値テーブル２１６の一実施例を示す。図２０には、識別Ｎｏと、充電時間重み付け値と、電池残量バーの各本数に対応する電池残量の範囲とが対応付けられる。最適電池残量バー閾値テーブル２１６では、充電時間が短い人には、電池残量バー閾値電圧を高くすることにより、電池残量バーの本数を減らすタイミングを早めている。このようにすることにより、充電時間が短い人に、充電を促すことができる。
【０１７６】
最適電池残量バー閾値算出部２２８は、最適電池残量バー閾値テーブル２１６を参照し、充電時間重み付け点数に対応する識別Ｎｏ．を特定する。
【０１７７】
最適電池残量バー閾値算出部２２８は、電池残量バー閾値テーブル２１８に、特定した識別Ｎｏ．に従って、電池残量バーの数を変更する際の閾値電圧を設定する。
【０１７８】
＜変形例（その２）＞
上述した携帯端末１００の一実施例において、充電時間重み付け値と、充電頻度重み付け値に基づいて、電池残量バーの閾値電圧が設定されてもよい。上述したように充電時間重み付け値は、図７を参照して説明した充電時間重み付けテーブル２０８に従って求められる。また、充電頻度重み付け値は、図８を参照して説明した充電頻度重み付けテーブル２１０に従って求められる。
【０１７９】
図２１は、充電時間重み付け値と、充電頻度重み付け値に基づいて、電池残量バーの閾値電圧が設定される場合の最適電池残量バー閾値テーブル２１６の一実施例を示す。図２１には、識別Ｎｏと、充電時間重み付け値と、充電頻度重み付け値と、電池残量バーの各本数に対応する電池残量の範囲とが対応付けられる。最適電池残量バー閾値テーブル２１６では、充電時間が短く、且つ充電頻度が少ない人には、電池残量バー閾値電圧を高くすることにより、電池残量バーの本数を減らすタイミングを早めている。このようにすることにより、充電時間が短く、且つ充電頻度が少ない人に、充電を促すことができる。逆に、充電時間が長く、且つ充電頻度が多い人には、電池残量バー閾値電圧を低くすることにより、電池残量バーの本数を減らすタイミングを遅らせる。このようにすることにより、充電時間が長く、且つ充電頻度が多い人に、電池の持ちがよいと思わせることができる。
【０１８０】
最適電池残量バー閾値算出部２２８は、最適電池残量バー閾値テーブル２１６を参照し、充電時間重み付け点数と、充電頻度重み付け値とに対応する識別Ｎｏ．を特定する。
【０１８１】
最適電池残量バー閾値算出部２２８は、電池残量バー閾値テーブル２１８に、特定した識別Ｎｏ．に従って、電池残量バーの数を変更する際の閾値電圧を設定する。
【０１８２】
上述した実施例、変形例に限られず、充電時間、充電頻度、使用頻度のいずれか、又は充電時間、充電頻度、及び使用頻度の少なくとも２つの組み合わせに基づいて、電池残量バーの数を変更する際の閾値電圧を設定するようにしてもよい。
【０１８３】
＜変形例（その３）＞
上述した携帯端末１００の一実施例において、充電が開始されるときの電池残量バーの数の履歴に基づいて、電池残量バーの閾値電圧が設定されてもよい。
【０１８４】
図２２は、携帯端末１００の機能の一変形例を示す機能ブロック図である。この機能ブロック図により表される機能は、主に、ＣＰＵ１０４により実行される。つまり、図２２の機能ブロック図により表される機能は、ＲＡＭ１１４に記憶されたアプリケーションや、ログや、テーブルに従ってＣＰＵ１０４により実行される。
【０１８５】
ＲＡＭ１１４には、ユーザ操作ログ２０２と、最適電池残量バー閾値テーブル２１６と、電池残量バー閾値テーブル２１８とが格納される。
【０１８６】
ＣＰＵ１０４は、制御部２２０として機能する。具体的には、ＣＰＵ１０４は、充電履歴取得部２３６と、最適電池残量バー閾値算出部２２８と、電池残量バー判定部２３０として機能する。
【０１８７】
充電履歴取得部２３６は、充電時間の分析を行うために、ユーザ操作ログ２０２の対象区間から、充電に関するログを抽出する。充電履歴取得部２３６は、充電が開始されるときの電池残量バーの数の履歴から、電池残量バーが１本からの充電の回数と、電池残量バーが２本からの充電の回数と、電池残量バーが３本からの充電の回数を求め、充電が開始される電池残量バーの本数の平均値を求める。また、充電履歴取得部２３６は、充電が開始されるときの電池残量バーの数の履歴に基づいて、電池残量バーが１本からの充電の場合と、電池残量バーが２本からの充電の場合と、電池残量バーが３本からの充電の場合で、電池残量バーが何本のときに充電が開始されることが多いかを求めるようにしてもよい。充電履歴取得部２３６は、最適電池残量バー閾値算出部２２８へ、電池残量バーの本数を入力する。
【０１８８】
最適残量バー閾値算出部２２８は、充電履歴取得部２３６からの電池残量バーの本数に基づいて、電池残量バーの閾値電圧を求める。
【０１８９】
図２３−図２５は、充電が開始されたときの電池残量バーの本数に基づいて、電池残量バーの閾値電圧が設定される場合の最適電池残量バー閾値テーブル２１６の一実施例を示す。図２３−図２５に示される最適電池残量バー閾値テーブル２１６により電池残量バーの閾値が変更される前の電池残量バーの閾値は、図４と略同一である。つまり、電池残量バー３本の電池残量の範囲として、４．２Ｖ−３．８５Ｖが設定される。電池残量バー２本の電池残量の範囲として、３．８５Ｖ−３．７５Ｖが設定される。電池残量バー１本の電池残量の範囲として、３．７５Ｖ−３．３０Ｖが設定される。
【０１９０】
電池残量バーの閾値が変更される前の電池残量バーの閾値に対応して、最適電池残量バー閾値テーブル２１６が用意されてもよい。
【０１９１】
図２３は、電池残量バーが１本の場合に充電開始が多い人の最適電池残量バー閾値テーブルを示す。図２４は、電池残量バーが２本の場合に充電開始が多い人の最適電池残量バー閾値テーブルを示す。図２５は、電池残量バーが３本の場合に充電開始が多い人の最適電池残量バー閾値テーブルを示す。
【０１９２】
図２４では、電池残量バーが２本の場合に充電を開始することが多い人には、電池持ちがよいと思わせるために、電池残量バーの下限閾値電圧値を下げることにより、電池残量バーの本数が減るタイミングを遅らせる。
【０１９３】
図２３では、電池残量バーが１本の場合に充電を開始することが多い人には、更に電池持ちがよいと思わせるために、電池残量バーが２本の場合に充電を開始することが多い人より、電池残量バーが２本の下限閾値電圧を更に下げる。
【０１９４】
図２５では、電池残量バーが３本の場合に充電を開始することが多い人には、電池残量バーの下限閾値を下げ過ぎると携帯端末１００の使用中に電池を使い切ってしまい、電源が切れることによる戻入申告が発生するおそれがある。そこで、電池残量バーが３本の場合に充電を開始することが多い人には、電池持ちが悪いと思わせないレベルに電池残量バーの下限閾値を設定する。
【０１９５】
最適電池残量バー閾値算出部２２８は、電池残量バー閾値テーブル２１８に、対応する最適電池残量バー閾値テーブルに従って、電池残量バーの数を変更する際の閾値電圧を設定する。
【０１９６】
本実施例、変形例によれば、充電時間の重み付け点数、充電頻度の重み付け点数、使用頻度の重み付け点数をパラメータとして電池残量バーの閾値電圧を変更することができる。
【０１９７】
充電時間の重み付け点数に基づいて、電池残量バーの閾値電圧を変更することにより、充電時間の重み付け点数が高い場合には、充電時間が短く、充電量が不足しているため、電池残量バー閾値電圧を初期値より高くできる。ユーザに充電時間の増加を促し、充電量を増加させることができ、使用途中で電池切れを防ぐことができる。
【０１９８】
充電時間の重み付け点数が低い場合には、充電時間が長く、１回の充電でフル充電もしくはフル充電近くまで充電しているため、電池残量バー閾値電圧を初期値より低くできる。ユーザに、電池持ちをよいと感じさせることができる。
【０１９９】
充電頻度の重み付け点数により電池残量バーの閾値電圧を変更することにより、充電頻度の重み付け点数が高い場合、充電頻度が低く、充電量が不足傾向にあるため、電池残量バーの閾値電圧を初期値より高くできる。ユーザに充電を促すことで、充電量を増加させることができ、使用途中での電池切れを防ぐことができる。
【０２００】
充電頻度の重み付け点数が低い場合には、充電頻度が高く、充電量は充足傾向にあるため、電池残量バー閾値電圧を初期値より低くできる。ユーザに、電池持ちがよいと感じさせることができる。
【０２０１】
使用頻度の重み付け点数により、電池残量バーの閾値電圧を変更することにより、使用頻度の重み付け点数が高い場合には、使用頻度が高く、電池の消費量が多いため、電池残量バー閾値電圧を高くすることができる。ユーザに充電を促すことができるため、充電量を増加させることができ、使用途中での電池切れを防ぐことができる。
【０２０２】
携帯端末の使用頻度の重み付け点数が低い場合には、携帯端末の使用頻度が低く、電池の消費量が少ないと想定される。電池残量バー閾値電圧を低くすることにより、電池持ちをよいと感じさせることができる。
【０２０３】
さらに、３つのパラメータを複合して用いることで、ユーザにとって最もよい条件、即ち、使用途中で電池切れにならない範囲で、充電間隔を極力長くすることできる。つまり、ユーザの端末使用状況に基づいて、残量バーの閾値を設定することができる。
【０２０４】
さらに、充電が開始されたときの電池残量バーの本数に基づいて、電池残量バーの閾値電圧が設定される。このことにより、残量バー本数が多いタイミングで充電を開始する傾向のユーザであれば、残量バー本数を減らすタイミングを遅らせることで、電池持ちが良いと思わせることができる。逆に、残量バー本数が少なくならないと充電を開始しない傾向のユーザであれば、残量バー本数を減らすタイミングを早めて、早めにユーザに充電を促すことができる。
【０２０５】
各実施例は単なる例示に過ぎず、当業者は様々な変形例、修正例、代替例、置換例等を理解するであろう。説明の便宜上、実施例に従った装置は機能的なブロック図を用いて説明されたが、そのような装置はハードウェアで、ソフトウエアで又はそれらの組み合わせで実現されてもよい。
【０２０６】
以上、実施例を用いて、電池残量を示す表示処理を詳細に説明したが、当業者にとっては、本明細書中に説明した実施例に限定されるものではないということは明らかである。特許請求の範囲の記載により定まる趣旨及び範囲を逸脱することなく修正及び変更態様として実施することができる。従って、本明細書の記載は、例示説明を目的とするものであり、本発明に対して何ら制限的な意味を有するものではない。
【０２０７】
以上の実施例を含む実施形態に関し、更に以下の付記を開示する。
（付記１）
充電を開始したときの電池残量を示す表示の履歴に基づいて、電池残量を示す表示を変更する際の閾値電圧を設定する制御部
を有する、携帯端末。
（付記２）
前記制御部は、充電を開始したときから充電が終了するまでの時間に基づいて、前記閾値電圧を設定する、付記１に記載の携帯端末。
（付記３）
前記制御部は、所定の期間における充電が実行された回数に基づいて、前記閾値電圧を設定する、付記１又は２に記載の携帯端末。
（付記４）
前記制御部は、所定の期間における使用頻度に基づいて、前記閾値電圧を設定する、付記１ないし３のいずれか１項に記載の携帯端末。
（付記５）
充電を開始したときの電池残量を示す表示の履歴に基づいて、電池残量を示す表示を変更する際の閾値電圧を設定する、方法。
（付記６）
前記制御部は、充電を開始したときの電池残量を示すバー数の履歴に基づいて、該バーの数を変更する際の閾値電圧を設定する、付記１ないし４のいずれか１項に記載の携帯端末。
（付記７）
前記制御部は、各アプリの消費電流に基づき算出される所定の期間における使用頻度に基づいて、前記閾値電圧を設定する、付記１ないし４のいずれか１項に記載の携帯端末。
（付記８）
充電を開始したときの電池残量を示す表示の履歴に基づいて、電池残量を示す表示を変更する際の閾値電圧を設定する制御部
を有する、ベースバンド処理装置。
【符号の説明】
【０２０８】
１００  携帯端末
１０２  ベースバンド処理ＩＣ
２２０  制御部
【図１】
2014072782.tif 000003
【図２】
2014072782.tif 000004
【図３】
2014072782.tif 000005
【図４】
2014072782.tif 000006
【図５】
2014072782.tif 000007
【図６】
2014072782.tif 000008
【図７】
2014072782.tif 000009
【図８】
2014072782.tif 000010
【図９】
2014072782.tif 000011
【図１０】
2014072782.tif 000012
【図１１】
2014072782.tif 000013
【図１２】
2014072782.tif 000014
【図１３】
2014072782.tif 000015
【図１４】
2014072782.tif 000016
【図１５】
2014072782.tif 000017
【図１６】
2014072782.tif 000018
【図１７】
2014072782.tif 000019
【図１８】
2014072782.tif 000020
【図１９】
2014072782.tif 000021
【図２０】
2014072782.tif 000022
【図２１】
2014072782.tif 000023
【図２２】
2014072782.tif 000024
【図２３】
2014072782.tif 000025
【図２４】
2014072782.tif 000026
【図２５】
2014072782.tif 000027